(57)【特許請求の範囲】
【請求項１】
指針（１ａ）による時刻表示部と、液晶パネル（２）による時刻表示部とを有し、
指針により時刻表示を行うアナログ表示手段（２０）と、
液晶表示により時刻表示及び、その他の情報表示を行うデジタル表示手段（２１）と、
アナログ表示手段（２０）をモジュール本体（５）に固定する固定構造を有するモジュール押え手段（３）と、
アナログ表示手段（２０）の時刻及び時計の機能を修正する外部操作手段（４）とを有し、
モジュール押え手段（３）は、外部操作手段（４）と電気的に導通する導通部（３ａ）と、導通部（３ａ）より先端に配置して外部操作手段（４）が組み込まれる前の状態で導通部（３ａ）の断面的な位置を決める位置決め手段（３ｄ）とを有することを特徴とする電子時計。
【請求項２】
モジュール本体（５）には、モジュール押え手段（３）の少なくとも１箇所以上の固定部（３ｂ）と係合する突起部（５a）を設けたことを特徴とする請求項１記載の電子時計。
【請求項３】
モジュール押え手段（３）には、モジュール本体（５）への固定位置を決める案内突起部（３ｃ）を設け、モジュール本体（５）にはモジュール押え手段（３）の案内突起部（３ｃ）と係合する案内穴（５ｂ）を設けたことを特徴とする請求項１又は２記載の電子時計。
【請求項４】
モジュール本体（５）には、外部操作手段（４）が組込まれる前の状態で、モジュール押え手段（３）の導通部（３ａ）の断面的な位置を決める位置決め手段（３ｄ）と係合する位置案内手段（５ｃ）を設けたことを特徴とする請求項１乃至３のいずれかに記載の電子時計。
【請求項５】
モジュール本体（５）の位置案内手段（５ｃ）は、モジュール本体（５）に設けた溝部（５ｄ）の幅よりも幅が広いことを特徴とする請求項１乃至４のいずれかに記載の電子時計。
【請求項６】
モジュール本体（５）またはモジュール押え手段（３）には、裏ブタ（１４）に電気的に導通する裏ブタ導通手段（２２）を設けたことを特徴とする請求項１乃至５のいずれかに記載の電子時計。
【発明の詳細な説明】
【０００１】
【発明の属する技術分野】
この発明は、指針による時刻表示部と、液晶パネルによる時刻表示部とを有する電子時計に関するものである。
【０００２】
【従来の技術】
従来、指針による時刻表示部と、液晶パネルによる時刻表示部とを有する電子時計は、アナログ表示手段を、モジュール本体にねじにより固定する構造が一般的であり、幅広く使用されている。
また、外部操作手段への導通構造に関しては、図７に示す如くプラグ６を挿入口７に挿入し、プラグ導通バネ８と導通させ裏ブタ１４に電気的に導通させる構造が一般的であり、実開昭６１−８０４８９号公報にこのような構造が、開示されている。
【０００３】
【発明が解決しようとする課題】
このように従来の指針による時刻表示部と、液晶パネルによる時刻表示部とを有する電子時計においては、アナログ表示手段を、モジュール本体にねじ等により固定する構造であるため、組込後に故障などの理由によりアナログ表示手段を交換する際、モジュール本体を分解し、アナログ表示手段を外さなければならなかった。
【０００４】
従って、アナログ表示手段のみを外すことが困難であるという課題があった。また外部操作手段への導通構造においては、プラグを挿入口に挿入し、プラグ導通バネと導通させる際、プラグ導通バネのプラグとの接触部の位置が不安定となり、挿入時にプラグ導通バネを曲げてしまうという課題があった。
そこで、この発明の目的は、このような従来の課題を解決するためアナログ表示手段をモジュール本体に固定し、且つ外部操作手段と電気的に導通する導通手段を有するモジュール押え手段を設け、裏ブタに電気的に導通する構成としたことにより、アナログ表示手段の分解性を向上させ、また外部操作手段との導通性向上を図ることにある。
【０００５】
【課題を解決するための手段】
上記目的を達成するため、本発明は指針による時刻表示を行うアナログ表示手段と、液晶パネルによる時刻表示及びその他の情報表示を行うデジタル表示手段と、アナログ表示手段をモジュール本体に固定する固定構造を有し、外部操作手段と電気的に導通する導通手段を有するモジュール押え手段と、例えばモジュール押え手段と電気的に導通し、且つ裏ブタと導通する裏ブタ導通手段と、アナログ表示手段の時刻及び時計の機能を修正する外部操作手段とを具備することを特徴としている。
【０００６】
【発明の実施の形態】
本発明の電子時計は、アナログ表示手段は指針により時刻表示を行い、デジタル表示手段は液晶表示により時刻表示及びその他の情報表示を行い、モジュール押え手段はアナログ表示手段をモジュール本体に固定し、外部操作手段はアナログ表示手段の時刻及び時計の機能を修正する。
【０００７】
また、モジュール押え手段に設けた導通手段は、外部操作手段に電気的に導通し、裏ブタ導通手段の一方はモジュール押え手段と電気的に導通し、もう一方は裏ブタと導通する。
＜実施例１＞
次に、本実施形態にかかる実施例１を図面により説明する。
【０００８】
図１は、本発明による電子時計にかかわる実施例を示す平面図である。
図２及び図３は、本発明による電子時計にかかわる実施例を示す断面図であり、一部分にモジュール押え手段による固定構造と、外部操作手段と電気的に導通する導通手段まわりを示している。
図１及び図２、図３において、本発明による電子時計は、指針１ａにより時刻表示を行なうアナログモジュール１からなるアナログ表示手段２０と、液晶表示により時刻表示及びその他の情報表示を行なうパネルガラス２ａ等を有する液晶パネル２からなるデジタル表示手段２１を有する。
【０００９】
モジュール押え３で形成したモジュール押え手段は、固定部３ｂを有し、パネルわく１０、電池わく１２、回路ブロック１１、押え板１３等からなるモジュール本体５の突起部５ａと係合し、アナログモジュール１からなるアナログ表示手段２０をモジュール本体５に固定する。
更に、モジュール押え３で形成したモジュール押え手段は、モジュール本体５への固定位置を決めるための案内突起部３ｃを有し、モジュール本体５の案内穴５ｂと係合し、また巻真４等により構成した外部操作手段と電気的に導通する導通部３ａからなる導通手段を有する。
【００１０】
また、例えばモジュール本体５の押え板１３には、モジュール押え３と電気的に導通する導通端子１３ａと、裏ブタ１４と電気的に導通する裏ブタ導通端子１３ｂとからなる裏ブタ導通手段２２を設ける。
＜導通手段まわりの説明＞
図２及び図３において、巻真４等により構成した外部操作手段は、指針１ａにより時刻表示を行なうアナログモジュール１からなるアナログ表示手段２０の時刻修正用の切換え部（図示せず）に係合する。
【００１１】
モジュール本体５のパネルわく１０には、この外部操作手段である巻真４を案内する溝部５ｄを有する。
モジュール押え手段であるモジュール押え３には、外部操作手段である巻真４と電気的に導通する導通部３ａからなる導通手段が設けてある。
＜外部操作手段組込み前の導通手段まわりの説明＞
図４及び図５は、本発明による電子時計にかかわる断面図で有り、外部操作手段が組込まれる前の状態の導通手段まわりを示している。
【００１２】
図４及び図５において、モジュール押え手段であるモジュール押え３に設けた位置決め部３ｄからなる位置決め手段は、導通部３ａより先端寄りに配置しパネルわく１０の位置案内手段である位置案内部５ｃに突き当たる位置に保持され、モジュール押え３の導通部３ａの断面的な位置を決めている。
＜実施例２＞
図６は、本発明による電子時計にかかわるその他の実施例を示す平面図である。
【００１３】
図６において、モジュール押え３より構成したモジュール押え手段の固定部３ｂを４箇所設け、パネルわく１０、電池わく１２、回路ブロック１１、押え板１３等からなるモジュール本体５の突起部５ａと係合し、アナログモジュール１からなるアナログ表示手段２０をモジュール本体５に固定する以外は、実施例１と同様な構成である。
【００１４】
【発明の効果】
以上説明したように、本発明によれば、アナログ表示手段をモジュール本体に固定し、且つ外部操作手段と電気的に導通する導通手段を有するモジュール押え手段を設けることにより、組込後にデジタル表示手段と比較して、故障及び不具合の頻度の高いアナログ表示手段のみの分解が、モジュール本体を分解すること無く可能となるので分解性の向上が図れる。
【００１５】
また、モジュール押え手段の位置決め手段が、外部操作手段が組込まれる前の状態に、モジュール本体の位置案内手段に突き当たる位置に保持する構成で有るため、モジュール押えの導通部の断面的な位置を安定して決めることが可能となる。
これにより、外部操作手段の組立性及び導通性向上を図ることができる。
【図面の簡単な説明】
【図１】本発明の電子時計にかかわる実施例を示す平面図である。
【図２】本発明の電子時計にかかわる実施例を示す断面図である。
【図３】本発明の電子時計にかかわる実施例を示す断面図である。
【図４】本発明の電子時計にかかわる実施例を示す断面図である。
【図５】本発明の電子時計にかかわる実施例を示す断面図である。
【図６】本発明の電子時計にかかわるその他の実施例を示す平面図である。
【図７】従来の電子時計を示す断面図である。
【符号の説明】
１        アナログモジュール
２        液晶パネル
３        モジュール押え
４        巻真
５        モジュール本体
６        プラグ
７        挿入口
８        プラグ導通バネ
１０      パネルわく
１１      回路ブロック
１２      電池わく
１３      押え板
２０      アナログ表示手段
２１      デジタル表示手段
２２      裏ブタ導通手段
１ａ      指針
２ａ      パネルガラス
３ａ      導通部
３ｂ      固定部
３ｃ      案内突起部
３ｄ      位置決め部
５ａ      突起部
５ｂ      案内穴
５ｃ      位置案内部
５ｄ      溝部
１３ａ    導通端子
１３ｂ    裏ブタ導通端子
【図１】
0003589844.tif 000002
【図２】
0003589844.tif 000003
【図３】
0003589844.tif 000004
【図４】
0003589844.tif 000005
【図５】
0003589844.tif 000006
【図６】
0003589844.tif 000007
【図７】
0003589844.tif 000008